(57)【特許請求の範囲】
【請求項１】
前面に商品出入用の開口を有する断熱壁で形成されるショーケース本体の内部を仕切板で区画して、商品収納庫と冷気循環ダクトとに形成し、前記商品収納庫内の背面側に棚受けを固定し、該棚受け上部に形成した切欠き凹部に陳列棚の下面に形成したＬ字形の係止突起を係合して棚受け上に陳列棚を着脱自在に取り付け、前記棚受け上部に形成する切欠き凹部の底部前側を水平部に形成し、底部後側を傾斜部に形成し、切欠き凹部の全体を略Ｌ字形に形成した冷凍冷蔵ショーケースの陳列棚取付構造において、
前記切欠き凹部の傾斜部に段部を設けたことを特徴とする冷凍冷蔵ショーケースの陳列棚取付構造。
【発明の詳細な説明】
【０００１】
【発明の属する技術分野】
本発明は、冷凍冷蔵ショーケースの陳列棚取付構造に関するものである。
【０００２】
【従来の技術】
栄養ドリンク剤や清涼飲料などを保冷、陳列する冷凍冷蔵ショーケースとして、例えば図４に示すものがあり、これは、前面に商品出入用の開口２を有する断熱壁で形成されるショーケース本体１の内部を仕切板３で区画して、商品収納庫４と冷気循環ダクト６とに形成し、ショーケース本体１の下方に機械室７を設け、該機械室７内に図示は省略するが冷凍サイクルを構成する凝縮器、凝縮器用の送風機および圧縮機を配設し、前記冷気循環ダクト６内に前記凝縮器などとともに冷凍サイクルを構成する冷却器と冷気循環用の送風機５とを配設している。
【０００３】
そして、送風機５によって冷気循環ダクト６内に吸い込まれ、冷却器によって冷却された冷気は、上方の吹出口８から吹き出され、開口２に冷気エアカーテンを形成して商品収納庫４内の陳列棚９の上に載置してある商品を保冷するとともに、外気が開口２から商品収納庫４内に侵入することを阻止する。
【０００４】
前記商品収納庫４内には、商品収納庫４内の背面に配設されている仕切板３に取り付けた棚受け１０を介して複数段に陳列棚９が着脱自在に配設されるが、この陳列棚９は客が陳列棚９上の商品を選別または取り出すなどしたときに、この陳列棚９が前方に移動することを阻止する取付構造となっている。
【０００５】
この取付構造は、従来は、例えば図５に示すように、棚受け１０の上面の前端近傍と後端近傍と係止部となる切欠き凹部１８をＬ字形に形成し、陳列棚９の下面から下方に向けてＬ字形の係止突起１５を突設し、該係止突起１５を切欠き凹部１８に係止して陳列棚９を棚受け１０に固定している。
【０００６】
切欠き凹部１８に係止突起１５を挿入するには、図６に示すように係止突起１５の水平部を切欠き凹部１８の切欠きの開口の上方に位置させた（図６（ａ）の状態）後、陳列棚９をそのまま垂直下方に落とし込めば、係止突起１５の水平部が切欠き凹部１８の切欠きの開口から切欠き凹部１８内に差し込まれて係止突起１５の水平部が切欠き凹部１８の水平底部にぶつかる（図６（ｂ）の状態）。
【０００７】
この状態から、陳列棚９を前方に移動して係止突起１５を切欠き凹部１８の底部でスライドし、係止突起１５の先端を切欠き凹部１８の先端に形成されている空所に挿入すれば（図６（ｃ）の状態）、陳列棚９は上方への移動が阻止された状態で棚受け１０に係止される。
【０００８】
【発明が解決しようとする課題】
このように陳列棚９は前方に引き寄せた状態で棚受け１０上に載置されていれば係止突起１５が切欠き凹部１８と嵌合して、棚受け１０から外れることはないが、図６（ｄ）に示すように例えば商品の出し入れなどの時に陳列棚９が後方に押されると係止突起１５が切欠き凹部１８内で後方に移動し、その結果、係止突起１５の先端と切欠き凹部１８の先端との嵌合が解除される。
【０００９】
この状態で陳列棚９の前側に何らかの理由により上方からの荷重が加わると、陳列棚９の後部が持ち上がって棚受け１０から外れて脱落することがある。特に、商品は陳列効果を上げるために陳列棚９の前部に積むことが多く、かかる場合は陳列棚９の後部が軽くなっているためにこの部分が持ち上がりやすい。
【００１０】
また、陳列棚９を棚受け１０の所定位置にセットするときも、係止突起１５を切欠き凹部１８内に差し込んだ後、陳列棚９を前方に移動させる作業を要して、取り付けの作業性がよくない。
【００１１】
本発明の目的は前記従来例の不都合を解消し、棚受けに陳列棚を係止する陳列棚固定構造において、陳列棚に棚受け上で後方に移動させるような力が加わっても陳列棚が棚受けから脱落しにくく、さらに、後方へと押す力がなくなれば、陳列棚は元の正規の位置に自動的に復帰し、安全性の向上を図ることができるとともに、陳列棚を棚受けに取り付ける際も、係止突起を切欠き凹部内に挿入すれば、自動的に所定の係止位置にセットできて取付作業性の向上も図れる冷凍冷蔵ショーケースの陳列棚取付構造を提供することにある。
【００１２】
【課題を解決するための手段】
本発明は前記目的を達成するため、第１に、前面に商品出入用の開口を有する断熱壁で形成されるショーケース本体の内部を仕切板で区画して、商品収納庫と冷気循環ダクトとに形成し、前記商品収納庫内の背面側に棚受けを固定し、該棚受け上部に形成した切欠き凹部に陳列棚の下面に形成したＬ字形の係止突起を係合して棚受け上に陳列棚を着脱自在に取り付け、前記棚受け上部に形成する切欠き凹部の底部前側を水平部に形成し、底部後側を傾斜部に形成し、切欠き凹部の全体を略Ｌ字形に形成した冷凍冷蔵ショーケースの陳列棚取付構造において、前記切欠き凹部の傾斜部に段部を設けた。
【００１３】
これにより、陳列棚を棚受け上に取り付けるとき、係止突起を切欠き凹部内に落とし込むだけで、係止突起が切欠き凹部内に形成されている傾斜部にそってスライドするから係止突起を切欠き凹部内の所定位置にセットでき、陳列棚を棚受けの所定位置に自動的に固定できる。
【００１４】
また、所定位置に固定した後、商品出し入れ時などに陳列棚が後方に押されて移動しても、この押圧力がなくなれば、係止突起は切欠き凹部の傾斜部にそって自重で前方にスライドするから、陳列棚は棚受けの所定位置に復帰する。よって、陳列棚が後方に移動して、この状態で上方からの力が陳列棚に加わることで陳列棚の後部が持ち上がり陳列棚が外れることを最小に止めることができる。
【００１５】
さらに、陳列棚が後方に押されて移動する場合であっても、係止突起は傾斜部にそって後方に移動した後、段部にぶつかり、この箇所でそれ以上の移動が阻止されるから係止突起が切欠き凹部からより脱落しにくくなる。
【００１６】
【００１７】
【発明の実施の形態】
以下、図面について本発明の実施の形態を詳細に説明する。図１は本発明の冷凍冷蔵ショーケースの陳列棚取付構造の実施形態を示す側面図で、冷凍冷蔵ショーケースの全体構造は図４について既に説明したとおりであるからここでの詳細な説明は省略する。
【００１８】
本発明の陳列棚９もショーケースの商品収納庫４内で背面側の仕切板３から前方に向けて取り付けた棚受け１０の上に着脱自在に取り付けられるもので、棚受け１０の構造として、上部に係止部となる切欠き凹部を形成し、陳列棚９の側にはその下面から下方に向けて係止突起１５を突設し、該係止突起１５を切欠き凹部に係止して陳列棚９を棚受け１０に固定する構造、および係止突起１５をＬ字形の切り起こしによる突起で形成する構造は従来と同様である。
【００１９】
切欠き凹部は、棚受け１０の上部の前端近傍と後端近傍とにそれぞれ複数形成するが、前端近傍に形成する切欠き凹部１７は、図３にも示すように全体を略Ｌ字形に形成し、底部前側を水平部１７ａに、底部後側を切欠きの開口１７ｅに続く傾斜部１７ｂに形成し、該傾斜部１７ｂの途中に垂直部による段部１７ｃを設けたもので、底部の前側先端に形成される空所１７ｄを係止突起１５の先端が挿入する係合部とした。
【００２０】
後端近傍にも複数の切欠き凹部１６を形成する。該切欠き凹部１６の形状は全体的には前記切欠き凹部１７と同様であるが、開口１６ｅの幅を切欠き凹部１７の開口１７ｅの幅よりも狭くし、空所１６ｄの奥行きを切欠き凹部１７の空所１７ｄの奥行きよりも大きく形成した。
【００２１】
なお図１において、１１は補強部材を兼ねる取付部材１２により陳列棚９の前部下面に取り付けた蛍光灯などの照明灯、１３はプライスプレート、１４は陳列棚９上に陳列した商品の落下を防止するための棚ガードを示す。
【００２２】
陳列棚９を棚受け１０に取り付ける方法を図２について前端近傍に設けた切欠き凹部１７に係止突起１５を係合する場合を例にとって説明する。係止突起１５を切欠き凹部１７の開口１７ｅ近傍に位置させ（図２（ａ）の状態）、係止突起１５の先端の水平部を開口１７ｅから凹部内に挿入すれば、係止突起１５の先端は図２（ｂ）に示すように傾斜部１７ｂにそって自重で下方にスライドする。
【００２３】
その結果、図２（ｃ）に示すように係止突起１５の先端は水平部１７ａ上に落とし込まれて空所１７ｄ内に入り込む。この状態で係止突起１５と切欠き凹部１７とが係合し、陳列棚９が棚受け１０の所定位置に固定される。
【００２４】
後端近傍に設けてある切欠き凹部１６にも同様にして係止突起１５を係合するが、切欠き凹部１６の開口１６ｅの方が切欠き凹部１７の開口１７ｅよりも幅が狭いので、陳列棚９を棚受け１０に取り付ける際は、順序として係止突起１５を後端近傍に設けてある切欠き凹部１６に先に係止してから、その後で先端近傍に設けてある切欠き凹部１７に係止する。
【００２５】
この状態で商品の出し入れなどによって陳列棚９が後方に押されると、係止突起１５が切欠き凹部１６、１７の水平部１６ａ、１７ａにそって後方に移動し、さらに傾斜部１６ｂ、１７ｂにそって後方に移動するが、この段階で後方への押圧力が無くなれば、係止突起１５は陳列棚９とその上の商品との自重で再び傾斜部１６ｂ、１７ｂにそって前方に移動し、空所１６ｄ、１７ｄ内に入り込んで所定位置に復帰する。よって、陳列棚９が後方に押されて、係止突起１５が切欠き凹部１６、１７の開口１６ｅ、１７ｅの近くに達しても、この状態から陳列棚９が棚受け１０から外れることを最小に阻止できる。
【００２６】
また、前記のようにして係止突起１５が傾斜部１６ｂ、１７ｂにそって後方に移動したとき、傾斜部１６ｂ、１７ｂの途中には垂直な段部１６ｃ、１７ｃが設けてあるから、係止突起１５はこの段部１６ｃ、１７ｃにぶつかりそれ以上の後方への移動を阻止され、係止突起１５が切欠き凹部１６、１７から抜け出ることが阻止される。
【００２７】
さらに、陳列棚９が後方に押された状態で、陳列棚９の前部に上からの荷重が加わると、陳列棚９の前部に多くの商品が陳列されている場合などは特に、陳列棚９の後部が軽くなっているため後部が持ち上がりやすくなっているが、後方の切欠き凹部１６の開口１６ｅは幅が狭いので、係止突起１５が段部１６ｃでそれ以上の後方への移動が阻止されている状態では、この開口１６ｅから係止突起１５が抜け出るおそれはない。
【００２８】
よって、前方の係止突起１５が切欠き凹部１７から外れても後方の係止突起１５は切欠き凹部１６から外れることはなく、陳列棚９が棚受け１０から持ち上がって脱落することもない。
【００２９】
なお、陳列棚９を棚受け１０から外すには、陳列棚９をわずか後方に移動し、前方の係止突起１５を切欠き凹部１７から外した後、後方の係止突起１５を切欠き凹部１６から外して陳列棚９を引き上げればよい。
【００３０】
【発明の効果】
以上述べたように本発明の冷凍冷蔵ショーケースの陳列棚取付構造は、第１に、前面に商品出入用の開口を有する断熱壁で形成されるショーケース本体の内部を仕切板で区画して、商品収納庫と冷気循環ダクトとに形成し、前記商品収納庫内の背面側に棚受けを固定し、該棚受け上部に形成した切欠き凹部に陳列棚の下面に形成したＬ字形の係止突起を係合して棚受け上に陳列棚を着脱自在に取り付け、前記棚受け上部に形成する切欠き凹部の底部前側を水平部に形成し、底部後側を傾斜部に形成し、切欠き凹部の全体を略Ｌ字形に形成した冷凍冷蔵ショーケースの陳列棚取付構造において、 前記切欠き凹部の傾斜部に段部を設けた。
【００３１】
これにより、陳列棚を棚受け上に取り付けるとき、係止突起を切欠き凹部内に落とし込むだけで、係止突起が切欠き凹部内に形成されている傾斜部にそってスライドするから係止突起を切欠き凹部内の所定位置にセットでき、陳列棚を棚受けの所定位置に自動的に固定できる。
【００３２】
また、所定位置に固定した後、商品出し入れ時などに陳列棚が後方に押されて移動しても、この押圧力がなくなれば、係止突起は切欠き凹部の傾斜部にそって自重で前方にスライドするから、陳列棚は棚受けの所定位置に復帰する。よって、陳列棚が後方に移動して、この状態で上方からの力が端列棚に加わることで陳列棚の後部が持ち上がり陳列棚が外れることを最小に止めることができる。
【００３３】
さらに、前記切欠き凹部の傾斜部に段部を設けたことにより、陳列棚が後方に押されて移動する場合であっても、係止突起は傾斜部にそって後方に移動した後、段部にぶつかり、この箇所でそれ以上の移動が阻止されるから係止突起が切欠き凹部からより脱落しにくくなる。
【００３４】
【図面の簡単な説明】
【図１】本発明の冷凍冷蔵ショーケースの陳列棚取付構造の実施の形態を示す側面図である。
【図２】本発明の冷凍冷蔵ショーケースの陳列棚取付構造の実施の形態を示す移動状態の要部の側面図である。
【図３】本発明の冷凍冷蔵ショーケースの陳列棚取付構造の実施の形態を示す要部である切欠き凹部の側面図である。
【図４】冷凍冷蔵ショーケースの縦断側面図である。
【図５】従来の冷凍冷蔵ショーケースの陳列棚取付構造の側面図である。
【図６】従来の冷凍冷蔵ショーケースの陳列棚取付構造の移動状態の要部の側面図である。
【符号の説明】
１…ショーケース本体 ２…開口 ３…仕切板
４…商品収納庫 ５…送風機 ６…冷気循環ダクト
７…機械室 ８…吹出口 ９…陳列棚
１０…棚受け １１…照明灯 １２…取付部材
１３…プライスプレート １４…棚ガード １５…係止突起
１６、１７…切欠き凹部 １６ａ、１７ａ…水平部
１６ｂ、１７ｂ…傾斜部 １６ｃ、１７ｃ…段部 １６ｄ、１７ｄ…空所
１６ｅ、１７ｅ…開口 １８…切欠き凹部
【図１】
0004166995.tif 000002
【図２】
0004166995.tif 000003
【図３】
0004166995.tif 000004
【図４】
0004166995.tif 000005
【図５】
0004166995.tif 000006
【図６】
0004166995.tif 000007